(57)【特許請求の範囲】
【請求項１】
台枠と、送風装置と、電源部と、前記台枠の前面に着脱可能な前面枠と、前記前面枠は正面に前記台枠及び送風装置に固定する前面枠のネジ固定部と、前記前面枠の前面に着脱可能な前面パネルとを備え、前記前面パネルの着脱摺動部に着脱不可にするためのパネル固定具と、前記パネル固定具は前記前面枠に固定するためのパネル固定具のネジ固定部とをさらに有し、前記パネル固定具で前記前面枠のネジ固定部を覆い隠し、前記パネル固定具の下に前記前面枠のネジ固定部があることを目視可能にしたことを特徴とする空気調和機の室内ユニット。
【発明の詳細な説明】
【技術分野】
【０００１】
本発明は、空気調和機に関し、さらに詳しくは空気調和機の室内ユニットの構成に関するものである。
【背景技術】
【０００２】
従来の空気調和機室内ユニットについて図面を参照しながら説明する。図５は従来の空気調和機の室内ユニットの斜視図である。
【０００３】
従来の空気調和機の室内ユニットは、図５に示すように、台枠１、送風装置２、電源部３、台枠１前面に着脱可能な前面枠４を具備し、前面枠４は、正面に前面枠４を台枠１及び送風装置２に固定するためのネジ固定部５を有し、さらに前面枠４前面に着脱可能な前面パネル６を設けている。
【０００４】
前面パネル６の着脱摺動部７にはスライドツマミ１１を設け、前面枠４に設けたレール
部１２に沿って上下にスライドツマミ１１をスライドさせることにより着脱可能状態と不可能状態を切り替える構成としていた（例えば、特許文献１参照）。
【特許文献１】特許第３４１２３６５号公報
【発明の開示】
【発明が解決しようとする課題】
【０００５】
しかしながら、上記従来の構成では、サービス工事時、分割された前面枠を取り外す際には、まず前面パネルを取り外さなければならず、また前記前面パネルへの電装部搭載等の理由でユーザーでは前記前面パネルの取り外しが出来ない構成とする場合においても、サービス時には前記前面パネルを取り外しやすい構成にしなければならないという課題を有していた。
【０００６】
本発明は、従来の課題を解決するもので、前面パネルの着脱摺動部に着脱不可にするためのパネル固定具を設け、前記パネル固定具は前記前面枠に固定するためのネジ固定部を有し、さらに前記パネル固定具で前記前面枠のネジ固定部を覆い隠したものである。
【０００７】
これにより、ユーザーが容易に前記前面パネルを取り外すことが出来なく、前記前面パネルへの電装部搭載を可能にするものである。
【０００８】
またサービス工事時には、パネル固定具のネジを外し、前記パネル固定具を取り外して前記前面パネルを取り外してから、前面枠の取り外し作業にかかる構成となり、作業手順の間違いを防止し、安全性の向上とサービス性の向上を図るものである。
【課題を解決するための手段】
【０００９】
従来の課題を解決するために、本発明は、前面パネルの着脱摺動部に着脱不可にするためのパネル固定具を設け、前記パネル固定具は前記前面枠に固定するためのネジ固定部を有し、さらに前記パネル固定具で前記前面枠のネジ固定部を覆い隠したものである。
【発明の効果】
【００１０】
本発明の空気調和機の室内ユニットによれば、ユーザーが容易に前面パネルを取り外すことが出来なく、前記前面パネルへの電装部搭載を可能にし、またサービス工事時には、パネル固定具のネジを外し、前記パネル固定具を取り外して前記前面パネルを取り外してから、前面枠の取り外し作業にかかる構成となり、作業手順の間違いを防止し、安全性の向上とサービス性の向上を図ることができる。
【発明を実施するための最良の形態】
【００１１】
第１の発明は、台枠と、送風装置と、電源部と、台枠の前面に着脱可能な前面枠と、前面枠は正面に台枠及び送風装置に固定する前面枠のネジ固定部と、前面枠の前面に着脱可能な前面パネルとを備え、前面パネルの着脱摺動部に着脱不可にするためのパネル固定具と、パネル固定具は前面枠に固定するためのパネル固定具のネジ固定部とをさらに有し、パネル固定具で前面枠のネジ固定部を覆い隠し、パネル固定具の下に前面枠のネジ固定部があることを目視可能にしたものである。
【００１２】
これにより、ユーザーが容易に前面パネルを取り外すことが出来なく、前記前面パネルへの電装部搭載を可能にし、またサービス工事時には、パネル固定具のネジを外し、前記パネル固定具を取り外して前記前面パネルを取り外してから、前面枠の取り外し作業にかかる構成となり、作業手順の間違いを防止し、安全性の向上とサービス性の向上を図ることができ、前面枠のネジ固定部の場所がわかり易くサービス性の向上を図ることができる。
【００１３】
以下、本発明の実施の形態について、図面を参照しながら説明するが、従来の技術で説明した図５と共通の構成要素については同一番号を付して、詳細説明を省略する。なお、この実施の形態によって本発明が限定されるものではない。
【００１４】
（実施の形態１）
図１は本発明の第１の実施の形態による室内ユニットの斜視図である。図２は本発明の第１の実施の形態による室内ユニットの前面パネル着脱摺動部における部分斜視図である。図３は本発明の第１の実施の形態による室内ユニットの前面パネル着脱摺動部におけるパネル固定具取り外し状態の部分斜視図である。
【００１５】
図１、図２、図３に示すように、前面パネル６の着脱摺動部７に着脱不可にするためのパネル固定具８を設け、パネル固定具８は前面枠４に固定するためのネジ固定部９を有し、さらにパネル固定具８で前面枠４のネジ固定部５を覆い隠す。
【００１６】
これにより、ユーザーが容易に前面パネル６を取り外すことが出来なく、前面パネル６への電装部１０搭載を可能にする。
【００１７】
またサービス工事時には、パネル固定具８のネジを外し、パネル固定具８を取り外して前面パネル６を取り外してから、前面枠４の取り外し作業にかかる構成となり、作業手順の間違いを防止し、安全性の向上とサービス性の向上を図ることができる。
【００１８】
（実施の形態２）
図４は本発明の第２の実施の形態による室内ユニットの前面パネル着脱摺動部における部分斜視図である。
【００１９】
図４に示すように、パネル固定具８で前面枠４のネジ固定部５を略半分覆い隠し、パネル固定具８の下に前面枠４のネジ固定部５があることを目視可能にしたことにより、前面枠４のネジ固定部５の場所がわかり易くサービス性の向上を図ることができる。
【産業上の利用可能性】
【００２０】
以上のように、本発明の空気調和機の室内ユニットは、前面パネルへの電装部搭載を可能にし、安全性の向上とサービス性の向上を図ることができる空気調和機に適用可能である。
【図面の簡単な説明】
【００２１】
【図１】本発明の実施の形態１による室内ユニットの斜視図
【図２】本発明の実施の形態１による室内ユニットの前面パネル着脱摺動部における部分斜視図
【図３】本発明の実施の形態１による室内ユニットの前面パネル着脱摺動部におけるパネル固定具取り外し状態の部分斜視図
【図４】本発明の実施の形態２による室内ユニットの前面パネル着脱摺動部における部分斜視図
【図５】従来の空気調和機の室内ユニットの斜視図
【符号の説明】
【００２２】
１  台枠
２  送風装置
３  電源部
４  前面枠
５  前面枠のネジ固定部
６  前面パネル
７  着脱摺動部
８  パネル固定具
９  パネル固定具のネジ固定部
１０  前面パネルの電装部
１１  スライドツマミ
１２  レール部
【図５】
0005023955.tif 000002
【図１】
0005023955.tif 000003
【図２】
0005023955.tif 000004
【図３】
0005023955.tif 000005
【図４】
0005023955.tif 000006